(57)【要約】【課題】施工性を向上させた光ファイバ用配線器具を提供する。【解決手段】カバー２はコンセント本体１の前面に設けた開口内に配置され、上端部がコンセント本体１に対して回動自在に枢支されており、カバー２の背面側にはレセプタクル３が取着されている。レセプタクル３は、少なくとも使用状態において造営構造物の外面側に臨ませるプラグ接続口、および、造営構造物の内側に配線された光ファイバケーブルに取着される光ファイバ用プラグが差込接続されるプラグ接続部を具備し、造営構造物の外面側からプラグ接続口を通して挿入される光ファイバ用プラグとプラグ接続部に接続された光ファイバ用プラグとを光学的に結合するものであり、プラグ接続部に差込接続される光ファイバ用プラグの差込方向に位置するコンセント本体１の側壁１１ｂに光ファイバ用プラグを挿入するための切欠１４を設けてある。【選択図】図１
2005234384.tif 000002
【特許請求の範囲】
【請求項１】
造営構造物の外面に開口した取付穴に取り付けられるコンセント本体と、当該コンセント本体に取り付けられ、少なくとも使用状態において造営構造物の外面側に臨ませるプラグ接続口および前記造営構造物の内側に配線された光ファイバケーブルに取着される光ファイバ用プラグが差込接続されるプラグ接続部を具備し、造営構造物の外面側から前記プラグ接続口を通して挿入される光ファイバ用プラグと前記プラグ接続部に接続された光ファイバ用プラグとを光学的に結合する光ファイバ用レセプタクルとを備え、前記プラグ接続部に差込接続される光ファイバ用プラグの差込方向に位置する前記コンセント本体の部位に前記光ファイバ用プラグを挿入するための切欠を設けたことを特徴とする光ファイバ用配線器具。
【請求項２】
前記光ファイバ用レセプタクルは、前記コンセント本体の前面に対して前記プラグ接続部の差込口側を斜め後方に傾けた状態で前記コンセント本体に取り付けられたことを特徴とする請求項１記載の光ファイバ用配線器具。
【請求項３】
前記光ファイバ用レセプタクルが背面側に取り付けられるとともに、前記コンセント本体の前部から前方に突出して前記プラグ接続口を造営構造物の外面側に臨ませる突出状態、又は、前記プラグ接続口を前記コンセント本体の内部に収納する収納状態の何れかを呈するように前記コンセント本体に回動自在に支持された回動保持体と、
前記回動保持体を前記コンセント本体の前方に付勢する付勢手段および収納状態を保持する保持手段からなり、該保持手段の保持が解除されると付勢手段の付勢力によって前記回動保持体を前記コンセント本体の前方へ突出させるポップアップ機構とを備えて成ることを特徴とする請求項１又は２記載の光ファイバ用配線器具。
【請求項４】
前記回動保持体の背面との間で前記光ファイバ用レセプタクルを挟持する押さえ部材を前記回動保持体に取り付けるとともに、突出状態においてコンセント本体に設けた被係止部と係止する係止部を前記押さえ部材に設けたことを特徴とする請求項３記載の光ファイバ用配線器具。
【請求項５】
前記押さえ部材が金属材料で形成されたことを特徴とする請求項４記載の光ファイバ用配線器具。
【請求項６】
前記回動保持体は、前記光ファイバ用レセプタクルが背面側に取着されるとともに前記コンセント本体に一端が回動自在に枢支された蓋部と、当該蓋部の背面側に突設されて光ファイバ用レセプタクルの左右両側部をそれぞれ覆う覆い部とを備え、前記覆い部の外側面に前記突出状態において前記コンセント本体に設けた被係合爪と係合して前方への移動を規制する係合爪を設けるとともに、当該係合爪が形成された覆い部の部位の裏側部と当接して覆い部を支持する補強部材を設けたことを特徴とする請求項３〜５の何れか１つに記載の光ファイバ用配線器具。
【請求項７】
前記補強部材が金属材料で形成されたことを特徴とする請求項６記載の光ファイバ用配線器具。
【請求項８】
前記回動保持体は、前記光ファイバ用レセプタクルが背面側に取着されるとともに前記コンセント本体に一端が回動自在に枢支された蓋部と、当該蓋部の背面側に突設されて光ファイバ用レセプタクルの左右両側部をそれぞれ覆う覆い部とを備え、前記覆い部の外側面に前記突出状態において前記コンセント本体に設けた被係合爪と係合して前方への移動を規制する係合爪を設けるとともに、前記係合爪および前記被係合爪の接触面を、前記回動保持体の前方移動時に互いに噛み込む方向に傾斜する傾斜面に形成したことを特徴とする請求項３〜７の何れか１つに記載の光ファイバ用配線器具。
【発明の詳細な説明】
【技術分野】
【０００１】
本発明は、造営構造物の壁裏や床下等に導入された光ファイバケーブルを接続する光コンセントを用いた光ファイバ用配線器具に関するものである。
【背景技術】
【０００２】
この種の光ファイバ用配線器具としては、造営物の壁面に埋設された埋込ボックス内に造営物の裏面側に配線された光ファイバケーブルを導入し、埋込型の配線器具と同様に規格化された取付枠を用いて埋込ボックスに取り付けられる光コンセントを用いたものが従来より提供されている（例えば、特許文献１参照）。
【特許文献１】特許第２７９３１８３号公報
【発明の開示】
【発明が解決しようとする課題】
【０００３】
上述の光ファイバ用配線器具では、造営物の外面側から光ファイバ用プラグが光コンセントに接続されていない状態でも、光コンセントが配線器具の前面よりも出っ張った状態にあるため、邪魔になるという問題があった。
【０００４】
そこで、非使用状態では光コンセントをコンセント本体の内部に収納できるように、光コンセントが背面側に取り付けられた回動保持体を、コンセント本体の前面に設けた開口内に配置するとともに、この回動保持体を、コンセント本体の前面から前方に突出してプラグ接続口をコンセント本体の外部に臨ませる突出状態、又は、プラグ接続口をコンセント本体の内部に収納する収納状態の何れかを呈するようにコンセント本体に回動自在に枢支させ、この回動保持体を前方に常時付勢する付勢手段と収納状態を保持する保持手段とを設けて、保持手段の保持が解除されたときに光コンセントを前方へ突出させるポップアップ機構を付加したものも従来より提案されている。
【０００５】
このものに使用される光コンセントは、造営物の内側に配線された光ファイバケーブルに取着される光ファイバ用プラグが差込接続されるプラグ接続部を具備し、造営構造物の外面側からプラグ接続口を通して挿入される光ファイバ用プラグと上記プラグ接続部に接続された光ファイバ用プラグとを光学的に結合するのであるが、この光コンセントは、コンセント本体が取付面に正規方向に取り付けられた時にプラグ接続口の向きが下向きとなるように（すなわちプラグ接続口への差込方向がコンセント本体の前面と略平行になるように）、回動保持体の背部に取り付けられているので、この光コンセントのプラグ接続部に光ファイバ用プラグを差込接続する際に、コンセント本体の横壁が邪魔になって光ファイバ用プラグの接続作業を容易に行うことができず、施工性が悪いという問題があった。
【０００６】
本発明は上記問題点に鑑みて為されたものであり、その目的とするところは、施工性を向上させた光ファイバ用配線器具を提供することにある。
【課題を解決するための手段】
【０００７】
上記目的を達成するために、請求項１の発明は、造営構造物の外面に開口した取付穴に取り付けられるコンセント本体と、当該コンセント本体に取り付けられ、少なくとも使用状態において造営構造物の外面側に臨ませるプラグ接続口および造営構造物の内側に配線された光ファイバケーブルに取着される光ファイバ用プラグが差込接続されるプラグ接続部を具備し、造営構造物の外面側からプラグ接続口を通して挿入される光ファイバ用プラグとプラグ接続部に接続された光ファイバ用プラグとを光学的に結合する光ファイバ用レセプタクルとを備え、プラグ接続部に差込接続される光ファイバ用プラグの差込方向に位置するコンセント本体の部位に光ファイバ用プラグを挿入するための切欠を設けたことを特徴とする。
【０００８】
請求項２の発明は、請求項１の発明において、光ファイバ用レセプタクルは、コンセント本体の前面に対してプラグ接続部の差込口側を斜め後方に傾けた状態でコンセント本体に取り付けられたことを特徴とする。
【０００９】
請求項３の発明は、請求項１又は２の発明において、光ファイバ用レセプタクルが背面側に取り付けられるとともに、コンセント本体の前部から前方に突出してプラグ接続口を造営構造物の外面側に臨ませる突出状態、又は、プラグ接続口をコンセント本体の内部に収納する収納状態の何れかを呈するようにコンセント本体に回動自在に支持された回動保持体と、回動保持体をコンセント本体の前方に付勢する付勢手段および収納状態を保持する保持手段からなり、該保持手段の保持が解除されると付勢手段の付勢力によって回動保持体をコンセント本体の前方へ突出させるポップアップ機構とを備えて成ることを特徴とする。
【００１０】
請求項４の発明は、請求項３の発明において、回動保持体の背面との間で光ファイバ用レセプタクルを挟持する押さえ部材を回動保持体に取り付けるとともに、突出状態においてコンセント本体に設けた被係止部と係止する係止部を押さえ部材に設けたことを特徴とする。
【００１１】
請求項５の発明は、請求項４の発明において、押さえ部材が金属材料で形成されたことを特徴とする。
【００１２】
請求項６の発明は、請求項３〜５の何れかの発明において、回動保持体は、光ファイバ用レセプタクルが背面側に取着されるとともにコンセント本体に一端が回動自在に枢支された蓋部と、当該蓋部の背面側に突設されて光ファイバ用レセプタクルの左右両側部をそれぞれ覆う覆い部とを備え、覆い部の外側面に突出状態においてコンセント本体に設けた被係合爪と係合して前方への移動を規制する係合爪を設けるとともに、当該係合爪が形成された覆い部の部位の裏側部と当接して覆い部を支持する補強部材を設けたことを特徴とする。
【００１３】
請求項７の発明は、請求項６の発明において、補強部材が金属材料で形成されたことを特徴とする。
【００１４】
請求項８の発明は、請求項３〜７の何れかの発明において、回動保持体は、光ファイバ用レセプタクルが背面側に取着されるとともにコンセント本体に一端が回動自在に枢支された蓋部と、当該蓋部の背面側に突設されて光ファイバ用レセプタクルの左右両側部をそれぞれ覆う覆い部とを備え、覆い部の外側面に突出状態においてコンセント本体に設けた被係合爪と係合して前方への移動を規制する係合爪を設けるとともに、係合爪および被係合爪の接触面を、回動保持体の前方移動時に互いに噛み込む方向に傾斜する傾斜面に形成したことを特徴とする。
【発明の効果】
【００１５】
請求項１の発明によれば、プラグ接続部に差込接続される光ファイバ用プラグの差込方向に位置するコンセント本体の部位に光ファイバ用プラグを挿入するための切欠を設けているので、光ファイバ用プラグを切欠を通して光ファイバ用レセプタクルに差し込むことができ、光ファイバ用プラグを差し込む作業を容易に行うことができ、作業性が向上する。
【００１６】
請求項２の発明によれば、光ファイバ用レセプタクルは、コンセント本体の前面に対してプラグ接続部の差込口側を斜め後方に傾けた状態でコンセント本体に取着されているので、造営物の裏面側に配線される光ファイバに取着された光ファイバ用プラグをプラグ接続部に差し込み易くなるという効果がある。
【００１７】
請求項３の発明によれば、コンセント本体に回動自在に支持された回動保持体に光ファイバ用レセプタクルを取り付けているので、非使用状態では光ファイバ用レセプタクルをコンセント本体の内部に収納した状態とすることで、光ファイバ用レセプタクルが邪魔にならず、また使用時には光ファイバ用レセプタクルを突出させることで、光ファイバ用レセプタクルのプラグ接続口に造営構造物の外面側から光ファイバ用プラグを容易に接続することができる。さらにポップアップ機構の保持手段で回動保持体を収納状態に保持できるとともに、保持手段が保持を解除した時には付勢手段で光ファイバ用レセプタクルを前方へ突出させることができるので、光ファイバ用レセプタクルのコンセント本体内部への収納保持やコンセント本体外部への引き出しを容易に行うことができる。
【００１８】
請求項４の発明によれば、突出状態において回動保持体に取着された押さえ板の係止部がコンセント本体の被係止部と係止することで突出状態が保持されるので、造営構造物の外面側からプラグ接続口に光ファイバ用プラグを接続する際にプラグ接続口の位置が動きにくくなって、プラグの接続作業がやりやすくなり、またプラグ接続口に光ファイバ用プラグを接続している状態で回動保持体を後方に押す力が加わっても、回動保持体が閉じることはなく、プラグ接続口に接続された光ファイバ用プラグが回動保持体とコンセント本体との間に挟まって破損するのを防止できる。
【００１９】
請求項５の発明によれば、押さえ部材を金属材料で形成しているので、回動保持体が突出した状態を保持する強度を高めることができる。
【００２０】
請求項６の発明によれば、係合爪の形成された覆い部の部位の裏側部に補強部材を当接させることによって、補強部材で覆い部を支持しているので、回動保持体に横方向から外力が加わった場合でも回動保持体が変形し難く、係合爪と被係合爪との係合状態が外れにくくなるため、回動保持体の突出状態を確実に保持することができる。
【００２１】
請求項７の発明によれば、補強部材を金属材料で形成しているので、補強部材でより大きな力を受けることができ、突出状態の保持強度をさらに高めることができる。
【００２２】
請求項８の発明によれば、覆い部に設けた係合爪およびコンセント本体に設けた被係合爪の接触面を、回動保持体の前方移動時に互いに噛み込む方向に傾斜する傾斜面に形成しているので、突出状態において回動保持体を前方へ移動させるような外力が加わった場合でも、係合爪と被係合爪とが互いに噛み込むことで係合爪と被係合爪との係合状態が外れにくくなり、回動保持体の突出状態を保持する強度が向上するという効果がある。
【発明を実施するための最良の形態】
【００２３】
以下に本発明の実施の形態を図１〜図１１に基づいて説明する。なお、以下の説明では特に断りがないかぎり、図３（ａ）に示す向きにおいて上下左右の方向を規定し、図３（ａ）中の正面を前面とする。したがって、図３（ｂ）における右端は後端となる。
【００２４】
本実施形態の光ファイバ用配線器具は、図１〜図３に示すように、ＪＩＳで規格化された大角形の１個モジュールの配線器具を３個取り付けることができる取付枠と同等の寸法の窓孔８１を有し、造営構造物の外面に開口した取付穴に固定される金属製の取付枠８と、この取付枠８に対して取り付けることができる３個モジュールの寸法に形成されたコンセント本体１と、コンセント本体１の前面に設けた開口内に開閉自在に枢着される回動保持体としてのカバー２と、カバー２の背面側に取着される光ファイバ用レセプタクル（以下、レセプタクルと略称す。）３と、レセプタクル３をカバー２に固定する押さえ部材としての押さえ板４と、レセプタクル３に接続される光ファイバ用プラグが取り付けられた光ファイバケーブルを巻回する巻取体５と、この巻取体５を収納保持する保持体６と、コンセント本体１の前面側に取着される化粧カバー７とを主要な構成として備える。
【００２５】
コンセント本体１は、左右および上下の四方が側壁１１ａ，１１ａ，１１ｂ，１１ｃによって囲まれ、上側の略半分を前後方向に開口し、下側の略半分には背部１１ｄを一体形成した合成樹脂成型体からなる。そして、左右の側壁１１ａ，１１ａの後側外面には、後述する取付枠８の係止枠片８８に係止させるための係止突起１２ａが上下両側に２個ずつ突設され、上下の側壁１１ｂ，１１ｃの前側外面には、後述する化粧カバー７の弾性係止片７３が係止する係止凹部１２ｃが左右両側に２個ずつ形成されている。また上側の側壁１１ｂの前側部にはカバー２を回動自在に支持する軸受部１３を形成してあり、側壁１１ｂの後側部にはレセプタクル３に接続される光ファイバ用プラグを挿入するための切欠１４を形成してある（図９参照）。
【００２６】
また下側の側壁１１ｃの前側縁には、背部１１ｄの下側縁から前方に向かって立設された断面Ｌ型の突出片１５ａの横片が連結されている。突出片１５ａの前側部には段部１５ｂが設けられ、突出片１５ａにおける段部１５ｂよりも前側の部位は、後側の部位に比べて一段低くなっている。また突出片１５ａの左右両側には、前端側に開放された２条のスリット１５ｃ，１５ｃが前後方向に沿って背部１１ｄまで形成されており、これらのスリット１５ｃ，１５ｃで挟まれる部位が、後端部が背部１１ｄに連結されるとともに、前端部が厚み方向（上下方向）に可撓自在となる可撓片１５となっている。また可撓片１５の前側部には、段部１５ｂに跨る位置に可撓片１５を厚み方向に貫通し、カバー２の下端部中央に突設された係止突片２５又は押さえ板４の下端部中央に突設された係止突片４４と係止離脱自在に係止する係止孔１５ｄを貫設してある。
【００２７】
また左右の側壁１１ａ，１１ａの内側面には、上側壁１１ｃとの連結部位から上下方向の略中間部にかけて、カバー収納時にカバー２の両側部２１，２１の後端縁と当接するリブ１６ａ，１６ａが突設されており、各々のリブ１６ａには下側に行くほど後側に後退するような傾斜面が形成されている。また左右の側壁１１ａ，１１ａの内側面の下側部には、カバー２が前方へ突出した際にカバー２の両側部２１に設けた係合爪２１ａと係止する複数条のリブ１６ｂが側壁１１ａの前端縁から後方に向かって突設されている。
【００２８】
また背部１１ｄ後面の上端部付近の左右両側には、保持体６を支持するための支持部１７，１７を一体に形成している。各支持部１７には相対向する側面と下端とが開口した支持溝１７ａをそれぞれ形成しており、この支持溝１７ａを利用して保持体６を背部１１ｄの後面に着脱自在に取り付けるようになっている。
【００２９】
カバー２は、図１及び図２に示すように長方形状の前面部２０（蓋部）と、この前面部２０の回動方向に沿う両側縁から背面側へ延長形成した略扇形の側部２１，２１（覆い部）と、側部２１，２１の下側部の後縁から後方へ突出する脚片２１ｃ，２１ｃと、前面部２０の上端部の両側に上方へ突出形成された軸保持部２２，２２とを一体形成した合成樹脂成型体からなり、前面部２０の背面側と両側部２１，２１間の空間部でレセプタクル３を収納保持する収納部を構成している。軸保持部２２，２２は円柱状であって、軸方向が左右方向と略平行するように並べて形成してあり、各々の軸保持部２２の中心には回転軸１０の両端をそれぞれ挿入する軸孔２２ａが貫通形成されている。而して、コンセント本体１の軸受部１３の軸受凹部１３ａ内にばね体９を収めるとともに、軸保持部２２，２２間にコンセント本体１の軸受部１３を介在させた後、コンセント本体１の一方の側壁１１ａに設けた軸孔１１ｅ、一方の軸保持部２２の軸孔２２ａ、軸受部１３の軸受凹部１３ａ、他方の軸保持部２２の軸孔２２ａ、他方の側壁１１ａの軸孔１１ｅとに回転軸１０を挿通させることで、カバー２の上端部をコンセント本体１に対して回動自在に枢支するようになっており、ばね体９によってカバー２の下端側が前方に常時付勢されている。なお、ばね体９は中央部９ａをコ字状に折り曲げ形成するとともに、両端部に捻り部９ｂ、９ｂを形成して構成される。
【００３０】
また前面部２０の背面には、側部２１，２１の間にレセプタクル３のハウジング３０の前面に当接する複数条の支持リブ２３が側部２１と平行に突出形成されており、各支持リブ２３は上側ほど後方への突出量が大きくなるような形状に形成され、さらに各支持リブ２３の下側部にはハウジング３０の表面形状に合わせて段部２３ａが形成されている。またカバー２の脚片２１ｃ，２１ｃの後端部からは外向きに、コンセント本体１のリブ１６ｂと当接する係合爪２１ａ，２１ａがそれぞれ突設されている。また各脚片２１ｃには押さえ板４を固定するためのねじ２４を挿通する挿通孔２１ｂがそれぞれ貫設されている。
【００３１】
レセプタクル３は、合成樹脂成型体からなる直方体状の中空部材をハウジング３０として用い、このハウジング３０は先部（カバー２に取り付けたときに下部となる）側の外周面を後部（カバー２に取り付けたときには上部となる）側の外周面より突出させ、また内部においては隔壁３１により内部空間が左右の収納室３２，３２に仕切られている。ここに、各収納室３２の上側部を、造営構造物の内側に配線された光ファイバケーブルに取り付けられる第１の光ファイバ用プラグ（図示せず）が接続される第１のプラグ接続部とし、また各収納室３２の下側部を、造営構造物の外面側からハウジング３０の下側の開口（プラグ接続口）を通して挿入される第２の光ファイバ用プラグ（図示せず）が接続される第２のプラグ接続部として、各収納室３２の中間部には第１及び第２のプラグ接続部に接続される光ファイバ用プラグのフェルールを整列、保持することで両プラグを光学的に結合するスリーブ（図示せず）が配設してある。
【００３２】
押さえ板４は板金に抜き加工および曲げ加工を施すことによって形成され、レセプタクル３のハウジング３０後面と当接する矩形板状の当接片４０と、当接片４０の下部の左右両側縁から後方に向かって突出する支持片４１，４１と、当接片４０の下側縁の中央から斜め下向きに突出する傾斜片４２と、傾斜片４２の左右両側縁から前方に向かって突出する当て片４２ａ，４２ａとを一体に形成してある。なお各支持片４１の中間部には上記のねじ２４が螺合するねじ孔４３が形成されるとともに、先端部はカバー２の脚片２１ｃの後端部裏面（すなわち係合爪２１ａの裏側部）と対向する位置まで延長形成されている。また傾斜片４２の下側縁の中央には、可撓片１５の係止孔１５ｄと係止する係止突片４４が下側に向かって突設されている。
【００３３】
巻取体５は、図１および図２に示すように扁平な円柱状の合成樹脂成型体からなる巻胴部５０を有し、この巻胴部５０の外周面には、後端部の全周から周方向に突出する鍔部５１を一体に形成するとともに、前後方向の中間部の下側部から周方向に突出する鍔部５２を一体に形成してあり、さらに鍔部５２の外周部の左右両側からは巻胴部５０の外周面に平行する突片５３，５３を前方に向かって一体に形成してある。また巻胴部５０の上部の前端縁からは前方に突出する突出片５４が一体に形成してある。この突出片５４は前方に行くほど周方向に沿う幅寸法が小さくなるような形状に形成されており、突出片５４の前側部の片側縁からは、先端部が突出片５４と平行するようにＬ字形に屈曲した押さえ片５５が外側に向かって一体に形成されている。また巻胴部５０の外周面の上側部には、突出片５４との連結部位から前後方向における中間部まで周方向に突出する導出壁５６ａ，５６ｂを一体に形成してあり、各導出壁５６ａ，５６ｂは相互の間隔が後側に行くほど広がるように円弧状に湾曲している。なお、一方の導出壁５６ａの前端側は押え片５５に一体に連結されている。また巻胴部５０の前端面の中央部には後方に窪んだ凹部５０ａが形成されており、この凹部５０ａの上下の縁の間に橋架された取っ手部５８が巻胴部５０と一体に形成されている。なお、この取っ手部５８は巻胴部５０の前端面よりも前方に突出している。また巻胴部５０の前端面の下側部には、後述する保持体６の内側面に設けた爪（図示せず）が係止する係止凹部５９，５９が左右両側に形成されている。
【００３４】
ここに、巻胴部５０の外周面において、鍔部５２よりも前側の部位が外被保持部を構成し、この外被保持部に外被が剥離されていない光ファイバケーブルを挿入し、鍔部５２に突設された突片５３と巻胴部５０の外周面との間で外被を挟持することによって、光ファイバケーブルの外被を固定するようになっている。そして、鍔部５２と導出壁５６ａ又は５６ｂとの間の間隙を介して外被を剥離した心線を鍔部５２と鍔部５１との間の巻胴部５０（巻回部）側に導入し、この巻回部に心線を巻回した後、導出壁５６ａ，５６ｂの前側部の間の導出溝５７を通して巻取体５外へ光ファイバケーブルの心線を導出するのである。この巻回作業は巻胴部５０の前面に形成している取っ手部５８を手で持ちながら行えば良い。なお巻胴部５０の外周面は、巻回される光ファイバケーブル（例えばガラスファイバからなる光ファイバケーブル）の信号伝送特性が劣化しない許容最小曲率半径以上の曲率半径を持つ円周面に形成してあり、巻回される光ファイバケーブルの信号伝送特性に影響を与えないようになっている。また導出溝５７の両側にある導出壁５６ａ，５６ｂのコーナー部の内周面も、巻回される光ファイバケーブルの許容最小曲率半径以上の曲率半径を持つＲ曲面に形成してあり、導出壁５６ａ，５６ｂに沿って導出される光ファイバケーブルの信号伝送特性に影響を与えないようになっている。なお巻胴部５０、鍔部５１，５２、および導出壁５６ａ，５６ｂの表面はろう付けや光沢加工などによって滑りやすい面とするのが好ましく、これによって巻回した光ファイバケーブルの外被や心線を回転させ、張力を緩和させることができる。
【００３５】
また、巻取体５を収納保持するとともにコンセント本体１に着脱自在に取り付けられる保持体６は、図１および図２に示すように、合成樹脂成型体からなり下側の開口が底壁で閉塞された中空部材をハウジング６０として用いている。ハウジング６０の前後の側壁６１ａ，６１ｂは、前面視の形状が横長の矩形部の下側辺に半円部が突設されたような形状に形成され、上側辺を除く周縁部から立設された周壁６１ｃによって側壁６１ａ，６１ｂ間が連結されており、側壁６１ａ，６１ｂと周壁６１ｃとによって囲まれる空間部が巻取体５を収納する収納部６２となる。ハウジング６０の前側の側壁６１ａには、上側に開放されたガイド溝６３が上下方向に沿って形成されており、このガイド溝６３に巻取体５の巻胴部５０前面から前方に突出する取っ手部５８を挿入することによって、巻取体５がガイドされながら収納部６２内に挿入されるようになっている。また側壁６１ａの前面側には、左右方向の中央部から前方に向かって突出する突台部６４が形成されている。この突台部６４の下側部前端の左右両側からはそれぞれコンセント本体１の支持溝１７ａに係止する係止片６４ａが側方に向かって突設されており、各係止片６４ａの後面には、支持溝１７ａの表面に凹設された係止凹部１７ｂと係止する係止突起６４ｂが突設されている。さらに突台部６４の上側部の前端には左右両側縁から前方に向かって突出する突出片６５ａ，６５ｂが一体に形成されており、両突出片６５ａ，６５ｂは上記収納部６２に巻取体５を収納した際に巻取体５に形成された導出壁５６ａ，５６ｂの高さまで形成されている。また両突出片６５ａ，６５ｂの相互の間隔は、後端部が上記導出溝５７の前端部の幅と略同じ間隔に形成されるとともに、前端側に行くほど間隔が広がるように両突出片６５ａ，６５ｂの断面形状は円弧状に形成されており、一方（左側）の突出片６５ａは他方（右側）の突出片６５ｂよりも前方まで突出している。そして、両突出片６５ａ，６５ｂの対向面には、上記収納部６２に巻取体５を収納した際に巻取体５に形成された導出溝５７の底面に連続する底壁６５ｃが両突出片６５ａ，６５ｂの対向面間を連結するように形成されており、さらに一方の突出片６５ａの上端部の前側部からは上記底壁６５ｃと平行する押え片６６が延長して形成され、この押え片６６の先端部には下方に突出する係止部６６ａが一体に形成されている。なお突出片６５ａ，６５ｂと底壁６５ｃとで囲まれる空間が案内溝６５となる。
【００３６】
ここに、周壁６１ｃの左右方向の間隔は、巻取体５の鍔部５１の外径よりやや大きな寸法となっており、保持体６が大型化することなく、収納する巻取体５に巻回された光ファイバケーブルが外向きの弾性力によってその巻回径が広がったときに許容最小曲率半径を維持しつつ必要以上に拡径するのを規制するようになっている。また側壁６１ｂの内側面には、巻取体５に設けた鍔部５１の下側の半円部と係合する段部６１ｄが設けられており、鍔部５１の下側の半円部が段部６１ｄに当接するとともに、取っ手部５８の下端部がガイド溝６３の下端に当接することで、巻取体５を収納部６２に収納した際に巻取体５と収納部６２の底部との間に光ファイバケーブルの心線の収納スペース６７を確保することができる（図６参照）。したがって、心線の余長分をこの収納スペース６７に収納することができるから、巻取体５外へ突出する心線の余長分を短くでき、光ファイバケーブルの心線を確実に保護できる。
【００３７】
化粧カバー７は、コンセント本体１の前端部が挿入される縦長の窓孔７１を有する矩形枠状の前面部７０と、前面部７０の外周縁から後方に突出する側部７２とを一体に形成した合成樹脂成形体からなり、前面部７０の背面には、窓孔７１の上下の縁にコンセント本体１の係止凹部１２ｃと係止する弾性係止片７３が２個ずつ形成されている。また側部７２の後縁には、後述する取付枠８の側片８３，８３の先端面と当接する複数個の突起７４が所定の間隔をおいて突設されている。
【００３８】
取付枠８は、大角形連用配線器具用の取付枠と同等の寸法の窓孔８１を中央に有する矩形枠状に形成されており、長手方向に対向する側片８２，８２には図示しない埋込ボックスに取り付けるためのボックスねじ用の長孔８４と、壁を構成する石膏ボードなどに取り付けるための従来周知のはさみ金具（図示せず）が取着される取着孔８５と、前面にプレート枠（図示せず）等を取り付けるためのプレートねじ用のねじ孔８６とが少なくとも設けてある。また両側片８２，８２の窓孔８１に臨む側縁には、前方に突出してコンセント本体１の上下の側壁１１ｂ，１１ｃと当接する当接片８７，８７が突設されている。一方、取付枠８の短手方向に対向する側片８３，８３は前方に向かって略直角に折曲されており、両側片８３，８３の前端側は左右方向の外側に向かって略直角に折曲されている。また、各側片８３，８３の後縁には、コンセント本体１の係止突起１２ａとそれぞれ係止する各２個のＵ字形の係止枠片８８が上下両側に一体に形成されている。
【００３９】
次に本実施形態の光ファイバ用配線器具の組み立てについて説明する。
【００４０】
先ずカバー２の前面部２０と側部２１，２１とで囲まれる収納部に、レセプタクル３のハウジング３０の向きを合わせて挿入し、前面部２０の裏面に突設したリブ２３をハウジング３０の前面に当接させる。このときリブ２３の段部２３ａがハウジング３０の段部に当接し、さらにリブ２３の下側部から後方に延出するリブ２３ｂがハウジング３０下部の前面側に当接することで、ハウジング３０がカバー２に位置決めされ、この状態で押さえ板４の当接片４０をハウジング３０の上部後面に当接させるとともに、当て片４２ａ，４２ａをハウジング３０の下部後面に当接させた後、各脚片２１ｃの挿通孔２１ｂに通したねじ２４を押さえ板４の支持片４１に設けたねじ孔４３に螺入することで、押さえ板４をカバー２に固定し、押さえ板４とカバー２との間にレセプタクル３を挟みこむことで、レセプタクル３をカバー２に保持させる（図８（ｂ）（ｄ）参照）。この時、押さえ板４の支持片４１の先端部が、覆い部（側部２１および脚片２１ｃからなる）の係合爪２１ａが突設された部位の裏側部に配置されるので、覆い部を内側に押圧する力を、金属材料からなる押え片４の支持片４１，４１で受けることができる。
【００４１】
次にカバー２をコンセント本体１に組み付けるに当たっては、コンセント本体１の軸受部１３の下面側にばね体９の中央部９ａの中央片を係止させるとともに、軸受凹部１３ａの両端に形成した凹部（図示せず）にばね体９の両端の捻り部９ｂ，９ｂを嵌め込み、軸受凹部１３ａの両端と捻り部９ｂ，９ｂの透孔とを連通させる。次にカバー２の軸保持部２２，２２間に軸受部１３を介在させるようにコンセント本体１の前面側にカバー２を配置して、一方の側壁１１ａに設けた軸孔１１ｅから、一方の軸保持部２２の軸孔２２ａ、一方の捻り部９ｂの透孔、軸受部１１の軸受凹部１３ａ、他方の捻り部９ｂの透孔、他方の軸保持部２２の軸孔２２ａ、他方の側壁１１ａに設けた軸孔１１ｅに回転軸１０を挿入する。ここで、回転軸１０は挿入側の一端部から他端部近くまでの直径を、軸孔１１ｅ、２２ａおよび軸受凹部１３ａの内径よりもやや細い直径とすることで挿通を可能にしているが、他端部１０ａの直径を軸孔１１ｅの内径よりも太い径とするとともに外面にローレット加工を施しており、この他端部１０ａが最終的に軸孔１１ｅに圧入されることで回転軸１０はコンセント本体１に固定される。このとき、ばね体９の捻り部９ｂ，９ｂから延長形成された各延長部９ｃ，９ｃがカバー２の前面部２０の背面に弾接して、カバー２をコンセント本体１の前部から前方へ突出させる方向に回動させる付勢力を与えるようになっている。このときカバー２は、上端部がコンセント本体１に対し回転軸１０を中心に回動自在に枢支されており、ばね体９により回転軸１０を中心として下端側がコンセント本体１の前面部より前方へ突出する方向に回動する付勢力が与えられている。
【００４２】
このようにカバー２にレセプタクル３を装着し、このカバー２をコンセント本体１に取り付けることで光ファイバ用配線器具が完成される。図３（ａ）〜（ｄ）、図４（ｂ）及び図６はばね体９の付勢力に抗してカバー２をコンセント本体１の前部側に回動させ、カバー２の下端の係止突片２５先端を可撓片１５の弾性力を利用して係止孔１５ｄに係止させた状態を示しており、このときカバー２は前面部２０の前面をコンセント本体１の前面とほぼ同一高さとした状態に保持され、前面部２０の背方に取り付けたレセプタクル３はコンセント本体１の内部に収納された収納状態となる（この状態が非使用状態となる。）。またカバー２の側部２１，２１の後縁の傾斜面が、コンセント本体１の側壁１１ａ，１１ａの内面に設けたリブ１６ａ，１６ａの前端面と当接することで、カバー２の後方への移動が規制されるようになっている（図１０（ａ）（ｂ）参照）。
【００４３】
そして、この非使用状態においてコンセント本体１の前面側に露出する可撓片１５の操作部１５ｅを下向き加減に押操作すると、可撓片１５が下側に撓んで、係止突片２５の先端が係止孔１５ｄから離脱し、カバー２がばね体９の付勢力を受けて回転軸１０を中心に図６中時計周りに回動する。カバー２の下端部が前方へ回動すると、カバー２の側部２１，２１に設けた係合爪２１ａ，２１ａが、コンセント本体１の側壁１１ａ，１１ａの内側面に設けたリブ１６ｂの後端と係止することで、カバー２の前方方向への回転が規制されて、上端部から下端部にかけて前面部２０が下り傾斜するようにコンセント本体１の前部より前方へ突出することになり、下端部とコンセント本体１の前部との間からレセプタクル３のプラグ接続口が下向きに外部に臨むことになる。この状態がプラグ接続を行う使用状態となり、この状態ではカバー２に装着された押さえ板４の係止突片４４が可撓片１５の係止孔１５ｄに係入して、係止突片４４が係止孔１５ｄの後縁に係止することで、カバー２の後方への回転が規制されて、カバー２が前方に突出した状態を保持するようになっている（図７（ａ）〜（ｃ）及び図１１参照）。
【００４４】
このように、カバー２の背面との間でレセプタクル３を挟持する押さえ板４に、突出状態においてコンセント本体１に設けた係止孔１５ｄ（被係止部）と係止する係止突片４４（係止部）を設けており、金属製の押さえ板４に設けた係止突片４４が係止孔１５ｄと係止することでカバー２の突出状態が保持されるので、レセプタクル３のプラグ接続口に外部から第２の光ファイバ用プラグを接続する際にプラグ接続口（すなわちレセプタクル３）の位置が動きにくくなって、プラグの接続作業がやりやすくなり、またプラグ接続口に第２の光ファイバ用プラグを接続している状態でカバー２を後方に押す力が加わっても、カバー２が閉じることはないから、カバー２が閉じてカバー２とコンセント本体１との間に第２の光ファイバ用プラグが挟まり、第２の光ファイバ用プラグが破損するのを防止できる。また押さえ板４の支持片４１先端部が、カバー２の覆い部（側部２１および脚片２１ｃからなる）において係合爪２１ａが突設された部位の裏側部に配置されており、覆い部を内側に押圧する力を補強部材としての支持片４１で受けているので、横方向からの外力がカバー２に加わった場合でもカバー２が変形しにくく、係合爪２１ａとリブ１６ｂとの係合状態が外れることはなく、カバー２の突出状態を強固に保持できる。なお押さえ板４は金属材料で形成されているが、押さえ板４の材料を金属材料に限定する趣旨のものではなくを押さえ板４を樹脂成形体で構成しても良い。なお本実施形態では押さえ板４を金属材料で形成しているので、合成樹脂で形成した場合に比べて押さえ板４の強度が高くなり、係止突片４４と係止孔１５ｄとの係止を強固にするとともに、係合爪２１ａが形成された覆い部の部位を強固に支持することができるから、カバー２の突出状態を強固に保持することができる。
【００４５】
また図１０（ｂ）に示すように、カバー２の係合爪２１ａにおけるリブ１６ｂとの接触面は、外側に行くほど前方に突出するような傾斜面に形成され、コンセント本体１のリブ１６ｂ（被係合爪）における係合爪２１ａとの接触面は、内側に行くほど後方に突出するような傾斜面に形成されており、係合爪２１ａおよびリブ１６ｂの接触面を、それぞれ、カバー２の前方移動時に互いに噛み込む方向に傾斜する傾斜面に形成しているので、突出状態においてカバー２を前方へ移動させるような外力が加わった場合でも、係合爪２１ａとリブ１６ｂとが互いに噛み込むことで係合爪２１ａとリブ１６ｂとの係合状態が外れにくくなり、カバー２の突出状態を強固に保持することができる。
【００４６】
一方、上記の使用状態においてコンセント本体１の前面側に露出する可撓片１５の操作部１５ｅを下向き加減に押操作して、可撓片１５を下側に撓ませると、押さえ板４に設けた係止突片４４の先端が係止孔１５ｄから離脱する。そして係止突片４４と係止孔１５ｄとの係止が外れた状態で、カバー２の下側部をばね体９の付勢力に抗して後方（コンセント本体１の前部側）へ押圧し、回転軸１０を中心に図７（ｂ）中反時計周りに回転させると、カバー２の側部２１の後端がコンセント本体１の側壁１１ａに設けたリブ１６ａの前端面と当接して、カバー２の後方への回動が規制される。また、このときカバー２の下端の係止突片２５先端が可撓片１５の弾性力を利用して係止孔１５ｄに係止することで、カバー２の前面部２０の前面がコンセント本体１の前面とほぼ同一高さとなり、前面部２０の背方に取り付けたレセプタクル３がコンセント本体１の内部に収納された収納状態となる。
【００４７】
ここに、操作部１５ｅを有する可撓片１５とカバー２の係止突片２５とで収納状態を保持する保持手段が構成され、この保持手段とカバー２を前方に付勢する付勢手段としてのばね体９とで、カバー２およびレセプタクル３をポップアップさせるポップアップ機構が構成される。本実施形態ではコンセント本体１に回動自在に支持されたカバー２にレセプタクル３を取り付けているので、非使用状態ではレセプタクル３をコンセント本体１の内部に収納した状態とすることで、レセプタクル３が邪魔にならず、また使用状態ではレセプタクル３を前方に突出させることで、レセプタクル３のプラグ接続口に造営構造物の外面側から光ファイバ用プラグを容易に接続することができる。さらにポップアップ機構の保持手段でレセプタクル３の収納状態を保持するとともに、保持手段による保持が解除された時には付勢手段によりレセプタクル３を前方へ突出させることができるので、レセプタクル３のコンセント本体１内部への収納保持やコンセント本体１外部への引き出しを容易に行うことができる。なお図４（ａ）（ｂ）はそれぞれ使用状態と非使用状態の光ファイバ用配線器具の外観斜視図を示している。また図５は光ファイバ用配線器具を後側から見た外観斜視図を示している。
【００４８】
次に本実施形態の光ファイバ用配線器具を、壁パネルやコンクリート壁のような壁を構成する造営構造物の外面に開口するように壁に埋設した埋込ボックス（図示せず）により構成される取付穴に配設する施工について説明する。
【００４９】
まず、取付枠８の窓孔８１に背方からコンセント本体１の前部を嵌め込み、取付枠８の側片８３，８３の後縁から２個ずつ突出している係止枠片８８をコンセント本体１の側壁１１ａ，１１ａの外側面に設けた係止突起１２ａに嵌め込み、係止枠片８８の後側の片を弾性変形させて、係止突起１２ａの後縁に設けた凹部１２ｂに係止させることで、取付枠８にコンセント本体１を固定する（図８（ａ）（ｃ）参照）。
【００５０】
次に、造営構造物の内側（壁パネルの場合には壁パネルの裏側の壁内、コンクリート壁の場合にはコンクリート壁内）に配線され、壁に埋設された埋込ボックス内に導入されている光ファイバケーブルの外被を剥離してむき出した光ファイバ心線１０２の先端に設けた光ファイバ用プラグ１０３を、コンセント本体１の上側の側壁１１ｂに設けた切欠１４を通してコンセント本体１内に導入し（図８（ｂ）参照）、カバー２に保持されたレセプタクル３の上端に開口する第１のプラグ接続部に差し込んで、レセプタクル３に接続する。ここでレセプタクル３は、光ファイバ用プラグ１０３を図８（ｂ）中の上側から左下がりに斜め下向きにして挿入するようにカバー２に取着されており、光ファイバ用プラグ１０３の差込方向に位置するコンセント本体１の上側の側壁１１ｂに光ファイバ用プラグ１０３を挿入するための切欠１４を設けているので、光ファイバ用プラグ１０３を切欠１４を通してレセプタクル３に差し込むことができ、プラグ差込時にコンセント本体１の側壁１１ｂが邪魔にならないので差込作業を容易に行うことができ、作業性が向上する。またレセプタクル３は、コンセント本体１の前面に対してプラグ接続部の差込口側を斜め後方に傾けた状態でカバー２に取り付けられているので、図８（ｂ）に示すようにレセプタクル３に対して上側から斜め下向きに光ファイバ用プラグ１０３を差し込むことができ、さらに差し込みやすくなっている。
【００５１】
上述のようにして光ファイバ用プラグ１０３をレセプタクル３に接続した後に、コンセント本体１の背部１１ｄに保持体６を取り付け、光ファイバ用プラグ１０３に取り付けられた光ファイバ心線１０２を保持体６の押え片６６の下側を通して案内溝６５内に挿入し、案内溝６５の後端から後方へ導出する。なお保持体６の取り付けは、背部１１ｄ後面の左右両側に一体形成した支持部１７の支持溝１７ａに、下端側から保持体６の前面に形成している係止片６４ａを係入し、係止片６４ａの後面に形成した係止突起６４ｂを支持溝１７ａ内の対向面に形成している係止凹部１７ｂに係止させることで、係止片６４ａの係入状態を保持し、保持体６をコンセント本体１の背部１１ｄに取り付けるのである。
【００５２】
そして、保持体６の案内溝６５から後方へ導出された光ファイバケーブルを巻取体５に巻回する処理を行うのであるが、先ず光ファイバケーブルの外被部分の先端部（剥離した側の先部）を巻胴部５０の外周面と突片５３，５３との間（外被保持部）に保持させ、さらに光ファイバ心線１０２を突片５３と導出壁５６ａ又は５６ｂとの間の隙間を介して鍔部５１と鍔部５２との間の巻回部に導入し、この巻回部に光ファイバ心線１０２を巻回する。この巻回作業は巻胴部５０の片側の端面に設けた取っ手部５８を手で持ちながら行えば良い。
【００５３】
そして光ファイバ心線１０２の余長部分が短くなったところで、光ファイバ心線１０２を導出溝５７を通じて突出片５４と押え片５５との間の隙間から外部へ導出した後、図６及び図７に示すように巻取体５を保持体６の収納部６２に挿入して保持体６に保持させる。なお巻取体５を挿入する際には、取っ手部５８が保持体６の側壁６１ａに設けたガイド溝６３に係合してガイドされるので、巻取体５を保持体６に挿入する作業を容易に行うことができ、また巻取体５を正しい方向に向けて収納部６２内に収納保持することができる。そして巻取体５を正しい方向に向けて収納保持することで、導出溝５７の前端と保持体６の案内溝６５の後端とが連通することになり、これによって導出溝５７と案内溝６５とで光ファイバ心線１０２を誘導する誘導路が構成される。また巻取体５を、収納部６２内に巻胴部５０の下側縁が側壁６１ｂ内面の段部６１ｄに当接するまで挿入すると、巻胴部５０の前端面に設けた係止凹部５９が側壁６１ａに設けた係止突起（図示せず）と係止することで、巻取体５の抜けが防止させる。なお側壁６１ａの係止突起が係止凹部５９と係止する際には、係止凹部５９の下側に設けたテーパ面と側壁６１ａの弾性とによって、容易に係止できるようになっている。
【００５４】
そして巻取体５をコンセント本体１に取着された保持体６に保持させた後、保持体６、コンセント本体１の後部、および光ファイバケーブルの外被の余長部分を埋込ボックス内に収納した後、取付枠８の上下枠片に設けた長孔８４を利用して埋込ボックスのねじ孔（図示せず）に取付ねじ（図示せず）でねじ固定し、この後化粧カバー７の弾性係止片７３をコンセント本体１の係止凹部１２ｃに係止させることで、化粧カバー７をコンセント本体１の前面側に取り付けた後、さらに図示しない化粧プレートを取付枠８の前面側に係止爪やねじなどにより取り付け、この化粧プレートで取付穴および取付枠８を被蔽し、また化粧プレートの開口窓よりコンセント本体１および化粧カバー７の前部を外部に露出させれば施工が完了する。
【図面の簡単な説明】
【００５５】
【図１】本実施形態の光ファイバ用配線器具を前方から見た分解斜視図である。
【図２】同上を後方から見た分解斜視図である。
【図３】同上の収納状態を示し、（ａ）は正面図、（ｂ）は側面図、（ｃ）は下面図、（ｄ）はＢ−Ｂ断面図である。
【図４】（ａ）（ｂ）は同上を前方から見た外観斜視図である。
【図５】同上を後方から見た外観斜視図である。
【図６】同上を示し、図３（ａ）のＡ−Ａ断面図である。
【図７】同上の突出状態を示し、（ａ）は正面図、（ｂ）はＣ−Ｃ断面図、（ｃ）はＤ−Ｄ断面図である。
【図８】同上の保持体を外した状態を示し、（ａ）は右側から見た図、（ｂ）は右側から見た断面図、（ｃ）は下側から見た図、（ｄ）は下側から見た断面図である。
【図９】同上の保持体を外した状態を後方から見た外観斜視図である。
【図１０】同上を示し、（ａ）は図３（ａ）の一部省略せるＡ−Ａ断面図、（ｂ）はＥ部拡大図である。
【図１１】同上を示し、図７（ｂ）のＦ部拡大図である。
【符号の説明】
【００５６】
１  コンセント本体
２  カバー
３  レセプタクル
１１ｂ  側壁
１４  切欠
【図１】
2005234384.tif 000003
【図２】
2005234384.tif 000004
【図３】
2005234384.tif 000005
【図４】
2005234384.tif 000006
【図５】
2005234384.tif 000007
【図６】
2005234384.tif 000008
【図７】
2005234384.tif 000009
【図８】
2005234384.tif 000010
【図９】
2005234384.tif 000011
【図１０】
2005234384.tif 000012
【図１１】
2005234384.tif 000013